(57)【要約】【課題】テレビＴ裏面への配線作業が容易に行うことが可能な壁掛けテレビ用支持装置１を提供する。【解決手段】壁面Ａに沿うように立設される支持基体２の下端は床面Ｃと当接し荷重が支持され、前記支持基体２は壁面Ａから傾倒しないように壁面Ａに係止固定され、前記支持基体２の上部には、前記支持基体２の前方に設けられるテレビＴを係止して固定するテレビ固定用部材８が備えられ、前記テレビ固定用部材８により固定されるテレビＴ裏面を前記支持基体２の前面に対して離隔、近接させる動作機構を備える連結部材１２によって前記テレビ固定用部材８と前記支持基体２は連結されているようにした。【選択図】図１
2010124378.tif 000002
【特許請求の範囲】
【請求項１】
壁面に沿うように立設される支持基体の下端は床面と当接し荷重が支持され、
前記支持基体は壁面から傾倒しないように壁面に係止固定され、
前記支持基体の上部には、前記支持基体の前方に設けられるテレビを係止して固定するテレビ固定用部材が備えられ、
前記テレビ固定用部材により固定されるテレビ裏面を前記支持基体の前面に対して離隔、近接させる動作機構を備える連結部材によって前記テレビ固定用部材と前記支持基体は連結されていることを特徴とした壁掛けテレビ用支持装置。
【請求項２】
前記連結部材はテレビ裏面を前記支持基体の前面に対して前後方向に離隔、近接させる動作機構を備えることを特徴とした請求項１記載の壁掛けテレビ用支持装置。
【請求項３】
前記連結部材は回転軸を有し回転運動によりテレビ裏面を前記支持基体の前面に対して離隔、近接させる動作機構を備えることを特徴とした請求項１記載の壁掛けテレビ用支持装置。
【請求項４】
前記支持基体は枠体からなることを特徴とした請求項１乃至３のいずれか一項に記載の壁掛けテレビ用支持装置。
【請求項５】
枠体からなる支持基体の前面を覆うパネル部材が取付けられることを特徴とした請求項４記載の壁掛けテレビ用支持装置。
【請求項６】
前記支持基体は壁面から傾倒しないように壁面にねじにより係止固定されることを特徴とした請求項１乃至５のいずれか一項に記載の壁掛けテレビ用支持装置。
【発明の詳細な説明】
【技術分野】
【０００１】
本願発明は、薄型テレビを壁面に取付けるに当たって設ける壁掛けテレビ用支持装置に関するものである。
【背景技術】
【０００２】
従来から、特開２００７−２２４６１９号公報（特許文献１）に示されるように、簡単な施工で建物に取り付けることができる、テレビ固定用補助壁体は知られている。このテレビ固定用補助壁体は、床から天井までの高さを有する枠体の前面に取付けた前板の前面の一部をテレビ取付け部とし、当該テレビ取付け部に薄型テレビが取付けられ使用される。また、テレビ固定用補助壁体は、床と天井にわたるように立設され、建物に対して床と天井とに固定されていた。
【０００３】
したがって、前記テレビ固定用補助壁体の上下両端部を強固に建物に取付けることができ、これにより壁の補強工事を必要とせず、簡単な施工でテレビ固定用補助壁体を建物に取付けることができると共に、薄型テレビの荷重を、テレビ固定用補助壁体を介して床で安定して支持できるとされている。
【特許文献１】特開２００７−２２４６１９号公報
【発明の開示】
【発明が解決しようとする課題】
【０００４】
しかしながら、上記従来例であるテレビ固定用補助壁体にあっては、枠体は床から天井までの高さを有するものであり、その高さや重量のために、運搬や建物内への搬入が困難であり、壁面への取付け作業は、重量的に困難なものであった。また、天井へ上端を取付ける作業は、高所での作業ため困難なものであり、テレビ裏面への配線作業は、前板の前面をテレビ取付け部としているため困難なものであった。更に、床から天井までの高さは、各建物によりそれぞれ異なるものであり、それぞれの建物の高さに応じたテレビ固定用補助壁体を用意する必要があった。
【０００５】
本願発明は、上記背景技術に鑑みて発明されたものであり、その課題は、壁面への取り付け作業及び配線の取付け作業が簡単且つ運搬及び搬入が簡単であり、床から天井までの高さが異なる建物であっても取り付けることが可能な壁掛けテレビ用支持装置を提供することである。
【課題を解決するための手段】
【０００６】
上記課題を解決するために、本願請求項１記載の発明では、壁面に沿うように立設される支持基体の下端は床面と当接し荷重が支持され、前記支持基体は壁面から傾倒しないように壁面に係止固定され、前記支持基体の上部には、前記支持基体の前方に設けられるテレビを係止して固定するテレビ固定用部材が備えられ、前記テレビ固定用部材により固定されるテレビ裏面を前記支持基体の前面に対して離隔、近接させる動作機構を備える連結部材によって前記テレビ固定用部材と前記支持基体は連結されることを特徴としている。
【０００７】
又、本願請求項２記載の発明では、上記請求項１記載の壁掛けテレビ用支持装置において、前記連結部材はテレビ裏面を前記支持基体の前面に対して前後方向に離隔、近接させる動作機構を備えることを特徴としている。
【０００８】
又、本願請求項３記載の発明では、上記請求項１記載の壁掛けテレビ用支持装置において、前記連結部材は回転軸を有し回転運動によりテレビ裏面を前記支持基体の前面に対して離隔、近接させる動作機構を備えることを特徴としている。
【０００９】
又、本願請求項４記載の発明では、上記請求項１乃至３のいずれか一項に記載のテレビ用支持装置において、前記支持基体は枠体からなることを特徴としている。
【００１０】
又、本願請求項５記載の発明では、上記請求項４に記載のテレビ用支持装置において、枠体からなる支持基体の前面を覆うパネル部材が取付けられることを特徴としている。
【００１１】
又、本願請求項６記載の発明では、上記請求項１乃至５のいずれか一項に記載のテレビ用支持装置において、前記支持基体は壁面から傾倒しないように壁面にねじにより係止固定されることを特徴としている。
【発明の効果】
【００１２】
本願請求項１記載の発明の壁掛けテレビ用支持装置においては、支持基体が壁面に沿うように立設され、その下端が床面と当接し荷重が安定して支持されるため、支持基体を壁面から傾倒しないように壁面に係止固定する簡単な作業によって、テレビ用支持装置及びテレビ用支持装置に支持されたテレビを堅固に固定することができる。また、連結部材はテレビ裏面を支持基体の前面から離隔、近接させる動作機構を備えているため、テレビ裏面を支持基体前面から離隔させた状態で、テレビ裏面への配線作を容易行うことができ、配線作業完了後はテレビ裏面と支持基体前面を近接させた状態で使用することができる。
【００１３】
又、本願請求項２記載の発明のテレビ用支持装置においては、特に、連結部材はテレビ裏面を支持基体の前面に対して前後方向に離隔、近接させる動作機構を備えるため、テレビ前方の空間を利用して、テレビ裏面を支持基体の前面に対して前後方向に離隔、近接させることができる。
【００１４】
又、本願請求項３記載の発明のテレビ用支持装置においては、特に、連結部材は回転軸を有し回転運動によりテレビ裏面を支持基体の前面に対して離隔、近接させる動作機構を備えるため、比較的軽い力で、テレビ裏面を支持基体の前面に対して離隔、近接させることができる。
【００１５】
又、本願請求項４記載の発明のテレビ用支持装置においては、特に、支持基体が枠体からなるため、重量が比較的軽量であり、運搬や建物内への搬入が容易であり、さらに取付け作業も容易に行うことができる。
【００１６】
又、本願請求項５記載の発明のテレビ用支持装置においては、特に、枠体からなる支持基体に前面を覆うパネル部材が取付けられているため、テレビ用支持装置の美観が増し、パネル部材裏側と壁面との間に形成された空間に電源線用のコードを収納することができる。
【００１７】
又、本願請求項６記載の発明のテレビ用支持装置においては、特に、支持基体が壁面にねじにより係止固定されているため、支持基体を堅固に壁面に係止固定することができ、支持基体が壁面から傾倒することを防ぐことができる。
【発明を実施するための最良の形態】
【００１８】
以下、本願発明を添付図面に示す実施形態に基づいて説明する。図１及び図２には本願発明の第一実施形態が示してあり、壁掛けテレビ用支持装置１は以下のような構成となっている。
【００１９】
壁掛けテレビ用支持装置１の主体となる、支持基体２は左右の縦枠３とこの縦枠３を上下複数個所において横枠４で架設した枠体５で構成されている。枠体５は壁面Ａに沿って立設されるものであって、縦枠３の裏側が壁面Ａと接して立設される。縦枠３の下端部裏側には巾木Ｂを収める凹所６が形成されており、巾木Ｂが壁面Ａ下端部に設置されている建物であっても縦枠３の裏側を壁面Ａに接して枠体５を立設させることができる。巾木Ｂを収める凹所６は図２の断面図に示されるように縦枠３下端部の裏側が長方状に切り取られたように形成されており、凹所６は巾木Ｂが収まる十分な、巾及び高さを備えるように形成されている。また、巾木Ｂを収める凹所６は、一般的に市販されている巾木Ｂの形状に合わせ形成したものを幾種類か揃えておき、壁掛けテレビ用支持装置１が設置される建物に備えられた、巾木Ｂの種類に応じて枠体５を使い分けてもよい。このように縦枠３に凹所６を形成することにより、壁面Ａに縦枠３の裏側が接して枠体５を立設することができ、縦枠３の下端は床面Ｃと当接し、下端によって荷重が支持される。
【００２０】
横枠４には連結孔７が穿設されており、ねじＳ１で適宜壁面Ａに枠体５を係止固定することにより枠体５が傾倒するのを防いでいる。
【００２１】
テレビ固定用部材８は枠体５上方に設けられており、その主体は長手方向が横方向である上下二つの横部材９とその左右両端部で、長手方向が縦方向である左右二つの縦部材１０とが連結されることによって構成されている。縦部材１０は上下方向に伸縮が可能な構造を備えており、横部材９にはねじ等を貫通する横長孔１１が穿設されておりテレビＴ裏面に設けられている取付け用係止金具（図示せず）と連結することによりテレビ固定用部材８にテレビＴを係止固定することができる。また、上下方向に伸縮可能な縦部材１０により横長孔１１をテレビＴ裏面の取付け用係止金具の位置に合わせて縦方向について調整可能であり、横長孔１１の横幅により横方向についても位置調整が可能となるため、異なるサイズのテレビＴや、メーカが異なるテレビＴであっても、本実施形態のテレビ固定用部材８は、テレビＴに合わせて係止固定することが可能である。
【００２２】
テレビ固定用部材８は、連結部材１２によって支持基体２に連結されている。連結部材１２は動作機構を備えるものでありテレビＴ裏面を支持基体２の前面に対して離隔、近接させることができる。テレビＴ裏面を支持基体２前面から離隔させた状態で、テレビＴ裏面への配線作業を行えば容易に作業を行うことができ、配線作業完了後はテレビＴ裏面と支持基体２前面を近接させた状態で使用することができる。連結部材１２の動作機構は、テレビＴ裏面が支持基体２前面に対して離隔、近接できれば、任意の動作機構でよいが、本実施形態では、図１、２に示される前後方向による動作機構を示している。
【００２３】
図２を用いて、前後方向へテレビＴ裏面を支持基体２から離隔、近接させる動作機構を備える連結部材１２について説明する。連結部材１２は縦枠３に固定される第一本体金具１３と、第一本体金具１３とテレビ固定用部材８の横部材９を連結する第一アーム１４と、第一本体金具１３にはガイドレール孔１５が穿設されており、前端を第一アーム１４に固定し後端部が前記ガイドレール孔１５に沿って移動する第二アーム１６と、を備える。テレビＴ裏面を支持基体２前面から離隔させるには、連結部材１２の第二アーム１６の後端部を下方向に移動させテレビ固定用部材８を前方向に引き出すことによりなされる。反対に、テレビＴ裏面を支持基体２前面に近接させるには、連結部材１２の第二アーム１６の後端部を上方向に移動させテレビ固定用部材８を後方向に押し戻すことによりなされる。なお、ガイドレール孔１５の上端部は、第二アーム１６の後端部を引っ掛けて止めるようにガイドレール孔１５の後方向及び下方向に広がりを持たせるようにストッパー部２３が形成されており、このストッパー部２３に第二アーム１６の後端部を引っ掛けて固定することによりテレビＴ裏面を支持基体２前面に近接させた状態で維持することができる。
【００２４】
枠体５には前面を覆うパネル部材１９が取付けられる。取付け方は任意であるが、本実施形態では、縦枠３表側の左右同じ高さにパネル取付け長孔２０を縦方向に複数個所に穿設し、パネル部材１９の裏側に設けられた鉤上のパネル用係止金具２２を、前記パネル取付け長孔２０に嵌入することにより取付けている。
【００２５】
パネル部材１９は枠体５前面に取付けられるためパネル部材１９の背方には壁面Ａとの間に空間が形成され、この空間に電源線用のコードが収納される。パネル部材１９は、床面Ｃからテレビ固定用部材８に設置されたテレビＴの下端までの高さを備えるものが望ましく、１枚の板材１９１で構成してもよいし、複数枚の板材１９１を組み合わせてパネル部材１９を構成してもよい。本実施形態では２枚の板材１９１を上下に取り付けその間にＡＶ機器用の載置台２１を設けている。ＡＶ機器用の載置台２１は縦枠３にねじＳ２により係止固定され、前後方向に伸縮することが可能な構造を備えている。このような構造にすることにより、壁掛けテレビ用支持装置１より前後方向に長さを有するＤＶＤやビデオ等のＡＶ機器を載置台２１に載置する際は載置台２１を伸ばした状態で使用し、ＡＶ機器を使用しない場合は、壁掛けテレビ用支持装置１の厚さまで、載置台２１を収納しておきすっきりとした美観を保つことができる。
【００２６】
したがって、本実施形態の壁掛けテレビ用支持装置１においては、支持基体２が壁面Ａに沿うように立設され、その下端が床面Ｃと当設し荷重が安定して支持され、支持基体２が壁面Ａから傾倒しないようにねじＳ１で壁面Ａに係止固定する簡単な作業によって、テレビ用支持装置１及びテレビ用支持装置１に支持されたテレビＴを堅固に固定することができる。また、テレビ固定用部材８が、連結部材１２によって支持基体２に連結されており、連結部材１２は動作機構を備えるものであるから、テレビ裏面を支持基体２の前面に対して前後方向に離隔、近接させることができる。したがって、テレビＴ裏面を支持基体２前面から離隔させた状態で、テレビＴ裏面への配線作を行えば容易に作業を行うことができ、配線作業完了後はテレビＴ裏面と支持基体２前面を近接させた状態で使用することができる。
【００２７】
又、枠体５下端部裏側に巾木Ｂを収める凹所６が形成されているため、巾木Ｂを備える壁面Ａにも、壁掛けテレビ用支持装置１を傾けることなく壁面Ａに沿うように立設することができる。
【００２８】
又、枠体５下端部裏側に形成された凹所６を、巾木Ｂが収まる十分な、巾及び高さを備えるように形成することにより、様々な種類の巾木Ｂが壁面Ａに設置されていても、壁掛けテレビ用支持装置１を立設することができる。
【００２９】
又、巾木Ｂを収める凹所６を、一般的に市販されている巾木Ｂの形状に合わせ形成したものを幾種類か揃えておき、壁掛けテレビ用支持装置１が設置される建物に備えられた、巾木Ｂの種類に応じて枠体５を使い分ければ、凹所６と巾木Ｂの間に隙間が生じることが無く、美観を損なうことなくテレビ用支持装置１を設置することもできる。
【００３０】
又、本実施形態のテレビ用支持装置１においては、特に、支持基体２が枠体５からなるため、重量が比較的軽量であり、運搬や建物内への搬入が容易であり、さらに取付け作業も容易に行うことができる。
【００３１】
又、本実施形態のテレビ用支持装置１においては、特に、枠体５からなる支持基体２に前面を覆うパネル部材１９が取付けられているため、テレビ用支持装置１の美観が増し、パネル部材１９裏側と壁面Ａとの間に形成された空間に電源線用のコードを収納することができる。
【００３２】
次に、図３に基づいて、本願発明の第二実施形態を説明する。なお、ここでは、上記第一実施形態と相違する事項についてのみ説明し、その他の事項（構成、作用効果等）については、上記第一実施形態と同様であるのでその説明を省略する。本実施形態と第一実施形態とは、連結部材１２の構成において異なり、本実施形態の連結部材１２は、回転運動によりテレビＴ裏面を支持基体２の前面に対して離隔、近接させる動作機構を備える。
【００３３】
連結部材１２は縦枠３に固定される第二本体金具１７と回転軸１８とを備える。テレビ固定用部材８の上側の横部材９と第二本体金具１７は回転軸１８を介して接続されており、テレビ固定用部材８の横部材９の長手方向を回転軸１８として回転運動させることにより、テレビＴ裏面を、支持基体２前面に対して上下方向に離隔、近接させることができる。なお本実施形態では、テレビ固定用部材８の横部材９の長手方向を回転中心として回転運動するようにしたが、テレビ固定用部材８の縦部材１０の長手方向を回転軸中心として回転運動するように横部材９と第二本体金具１７とを接続し、テレビＴ裏面を、支持基体２前面に対して水平方向に離隔、近接させるようにしてもよい。
【００３４】
したがって、本実施形態の壁掛けテレビ用支持装置１においては、連結部材１２は回転軸１８を有し回転運動によりテレビＴ裏面を支持基体２の前面に対して離隔、近接させる動作機構を備えるため、比較的軽い力で、テレビＴ裏面を支持基体２の前面に対して離隔、近接させることができる。
【図面の簡単な説明】
【００３５】
【図１】本願発明の第一実施形態の壁掛けテレビ用支持装置の斜視図。
【図２】本願発明の第一実施形態の壁掛けテレビ用支持装置の断面図。
【図３】本願発明の第二実施形態の壁掛けテレビ用支持装置の断面図。
【符号の説明】
【００３６】
１  壁掛けテレビ用支持装置
２  支持基体
３  縦枠
４  横枠
５  枠体
６  凹所
７  連結孔
８  テレビ固定用部材
１１  パネル部材
１２  連結部材
Ａ  壁面
Ｂ  巾木
Ｃ  床面
Ｔ  テレビ
Ｓ１  ねじ
【図１】
2010124378.tif 000003
【図２】
2010124378.tif 000004
【図３】
2010124378.tif 000005